(57)【要約】【課題】  同乗者の乗り心地を向上させる。【解決手段】  車両の加速度が加速度判定値未満になるようにスロットルバルブの開度及び制動装置等を制御する。これにより、車両が発信した際に車両の乗員に対して必要以上の慣性力が作用しないので、同乗者の乗り心地を向上させることができる。【選択図】  図９
2008120133.tif 000002
【特許請求の範囲】
【請求項１】
車両の運転者による運転を支援する車両用運転支援システムであって、
車両の加速度を検出する加速度検出手段と、
前記加速度検出手段により検出される加速度を第１判定値未満に抑える加速度制御手段と
を備えたことを特徴とする車両用運転支援システム。
【請求項２】
前記加速度制御手段は、車両が発進した時からその車両が所定速度に到達するまでの期間内で車両の加速度を制御することを特徴とする請求項１に記載の車両用運転支援システム。
【請求項３】
車両の操舵角を検出する操舵角検出手段と、
前記操舵角検出手段により検出される操舵角を前記所定角度未満に制御する操舵角制御手段と
を備えたことを特徴とする請求項１又は請求項２に記載の車両用運転支援システム。
【請求項４】
車両の速度を検出する車速検出手段を備えており、
さらに、前記操舵角制御手段は、前記車速検出手段により検出された車両の速度に基づいて、車両の操舵角を制御することを特徴とする請求項３に記載の車両用運転支援システム。
【請求項５】
前記操舵角制御手段は、道路の曲率に基づいて車両の操舵角を制御することを特徴とする請求項３又は請求項４に記載の車両用運転支援システム。
【請求項６】
車両の減速度を検出する減速度検出手段と、
車両が停止すべき停止位置から所定距離だけ離れた位置までの区間内で、前記減速度検出手段により検出される減速度を第２判定値未満に制御する減速度制御手段と
を備えたことを特徴とする請求項１ないし請求項５の何れか１項に記載の車両用運転支援システム。
【請求項７】
前記減速度制御手段が車両の減速度を制御する際に、車両の乗員に対して報知を行う減速度制御報知手段を備えたことを特徴とする請求項６に記載の車両用運転支援システム。
【請求項８】
前記加速度制御手段が車両の加速度を制御する際に、車両の乗員に対して報知を行う加速度制御報知手段を備えたことを特徴とする請求項１ないし請求項７の何れか１項に記載の車両用運転支援システム。
【請求項９】
車両の周囲に存在する移動体を検出する移動体検出手段と、
車両が停止している状態で前記移動体検出手段により移動体が検出された場合に、その検出された移動体と車両とが衝突してしまう可能性があるか否かを判定する衝突判定手段と、
前記衝突判定手段により前記移動体と前記車両とが衝突してしまう可能性があると判定された場合に、車両の発進を禁止する発進禁止手段と
を備えたことを特徴とする請求項１ないし請求項８の何れか１項に記載の車両用運転支援システム。
【発明の詳細な説明】
【技術分野】
【０００１】
本発明は、車両の運転者による運転を支援する車両用運転支援システムに関する。
【背景技術】
【０００２】
車両用運転支援システムとして、例えば特許文献１に記載の発明では、一時停止線等の停止位置から所定距離だけ離れた減速制御開始位置に車両が到達すると、この車両の速度を所定速度以内に制限する減速制御を行い、減速制御開始位置を通り過ぎた車両が停止制御開始位置に到達すると、車両を停止位置で確実に停止させるように制動制御を行うようにしている。
【特許文献１】特開２００５−６３３９８号公報
【発明の開示】
【発明が解決しようとする課題】
【０００３】
ところで、車両の加速度が変化すると、車両の乗員には加速度に対応した力（慣性力）が加わる。このため、例えば停止している状態の車両が急発進する等して車両の加速度が急激に変化する場合には、必要以上の力が車両の乗員に加わってしまうので、同乗者は運転者の運転に対して不快感を感じてしまう。
【０００４】
本発明は、上記点に鑑み、同乗者の乗り心地を向上させることを目的とする。
【課題を解決するための手段】
【０００５】
上記目標を達成するためになされた請求項１に記載の発明は、車両の運転者による運転を支援する車両用運転支援システムであって、加速度検出手段が車両の加速度を検出し、加速度制御手段が、加速度検出手段により検出される加速度を第１判定値未満に抑える。
【０００６】
このような請求項１に記載の発明では、車両の加速度を第１判定値未満に抑えているので、第１判定値を適宜設定することにより車両の加速度が急激に変化するのを防止することができる。したがって、車両の乗員に対して必要以上の力が加わってしまうのを防止することができるので、同乗者の乗り心地を向上させることができる。
【０００７】
ところで、加速度制御手段は、請求項２に記載のように、車両が発進した時からその車両が所定速度に到達するまでの期間内で車両の加速度を制御するとよい。これにより、車両が急発進することを防止することができるので、急発進により車両の乗員に対して必要以上の力が加わってしまうのを防止することができる。
【０００８】
また、請求項３に記載の発明では、車両の操舵角を検出する操舵角検出手段と、操舵角検出手段により検出される操舵角を所定角度未満に制御する操舵角制御手段とを備えたことを特徴とする。
【０００９】
つまり、運転者がハンドルを急激に操作した場合（急ハンドル時）においても、車両の乗員に対して必要以上の力（遠心力）が加わる可能性があるので、請求項３に記載の発明では、操舵角を所定角度未満に制御することで、急ハンドル操作を防止している。したがって、同乗者の乗り心地を更に向上させることができる。
【００１０】
また、操舵角制御手段は、請求項４に記載のように、車両の速度を検出する車速検出手段により検出された車両の速度に基づいて、車両の操舵角を制御するようにしてもよい。
つまり、車両が道路を曲がる際に乗員に対して加わる遠心力は、車両の速度が大きくなるほど大きくなるので、車両の速度に基づいて車両の操舵角を制御するようにすれば、車両の速度が大きくなったとしても必要以上の遠心力が乗員に加わらないように操舵角を制御することができ、同乗者の乗り心地を更に向上させることができる。
【００１１】
また、操舵角制御手段は、請求項５に記載のように、道路の曲率に基づいて車両の操舵角を制御するようにしてもよい。つまり、道路の曲率に応じて車両が道路を曲がる際に必要な操舵量（操舵角）も変わるので、道路の曲率に基づいて車両の操舵角を制御するようにすれば、最適な条件で車両が道路を曲がる際の運転支援を運転者に対して行うことができる。
【００１２】
また、請求項６に記載の発明では、車両の減速度を検出する減速度検出手段と、車両が停止すべき停止位置から所定距離だけ離れた位置までの区間内で、減速度検出手段により検出される減速度を第２判定値未満に制御する減速度制御手段とを備えたことを特徴とする。
【００１３】
これによれば、車両の減速度を第２判定値未満に抑えているので、車両が急激に減速してしまうことを防止することができ、車両の乗員に対して必要以上の力が加わってしまうことを防止することができる。
【００１４】
また、請求項７に記載の発明は、請求項６に記載のように、減速度制御手段が車両の減速度を制御する際に、車両の乗員に対して報知を行う減速度制御報知手段が設けられているとよい。
【００１５】
つまり、車両の運転者は、自らの操作とは異なる動作が車両で行われると違和感を感じるので、減速度制御手段が車両の減速度を制御する際に、車両の乗員に対して報知するようにすれば、車両の運転者が違和感を感じてしまうことを防止することができる。
【００１６】
また、請求項１〜請求項７の何れかに記載の発明は、請求項８に記載のように、加速度制御手段が車両の加速度を制御する際に、車両の乗員に対して報知を行う加速度制御報知手段が設けられているとよい。
【００１７】
つまり、車両の運転者は、上述したように、自らの操作とは異なる動作が車両で行われると違和感を感じるので、請求項８に記載の発明においても、請求項７の効果と同様に、車両の運転者が違和感を感じてしまうことを防止することができる。
【００１８】
請求項９に記載の発明では、車両の周囲に存在する移動体を検出する移動体検出手段と、車両が停止している状態で移動体検出手段により移動体が検出された場合に、その検出された移動体と車両とが衝突してしまう可能性があるか否かを判定する衝突判定手段と、衝突判定手段により移動体と車両とが衝突してしまう可能性があると判定された場合に、車両の発進を禁止する発進禁止手段とを備えたことを特徴とする。
【００１９】
これにより、車両が移動体と衝突してしまう可能性がある場合には、車両の発進を禁止するので、車両が移動体と衝突してしまうのを未然に防ぐことができ、車両の安全性を向上させることができる。
【発明を実施するための最良の形態】
【００２０】
本実施形態は、内燃機関（エンジン）を駆動源とした車両に搭載される車載器に、本発明に係る運転支援システムを適用したものであり、以下に実施形態を図面と共に説明する。
【００２１】
なお、この車両のエンジンは、アクセルペダルの踏み込み量に基づいて、スロットルバルブの開度を電気的に制御する、いわゆる電子スロットルにて制御されている。また、この車両には、車両の操舵角を制御する操舵装置、及び車両の減速や停止を行う制動装置等が搭載されている。
【００２２】
操舵装置は、ステアリングホイールの操作量に基づいて、走行制御システム６０（図１参照）が車両の操舵角を制御し、制動装置は、ブレーキペダルの踏み込み量に基づいて、走行制御システム６０が制動力を制御しながら車両を減速させたり停止させたりする。
【００２３】
１．運転支援システムの全体構成
図１は、本実施形態の運転支援システムの構成を説明する説明図である。
運転支援システムは、車両の運転者による運転を支援するものであり、この運転支援システムは、図１に示すように、車両（図示省略）に搭載された車載器（本実施形態では、カーナビゲーション装置１０）、及び複数の路上装置５０等により実現される。
【００２４】
１．１．路上装置５０
路上装置５０は道路に分散して設置され、この路上装置５０は、設置位置周囲の道路上に存在する車両や歩行者を検出し、その検出結果を車両に搭載された車載器（本実施形態では、カーナビゲーション装置１０）に対して送信する。
【００２５】
そして、路上装置５０は、この周囲の道路を撮影する路上カメラ５２、路上カメラ５２による撮影結果に基づいて車両や歩行者等を検出する検出部５４、及び検出部５４による検出結果を路上装置５０の周囲に発信する発信部５６等にて構成されている。
【００２６】
なお、本実施形態では、路上カメラ５２が常時作動しており、検出部５４では車両及び歩行者等を検出するための検出処理が常時実行されている。また、検出部５４による検出結果は発信部５６に常時発信される。
【００２７】
１．２．カーナビゲーション装置１０
カーナビゲーション装置１０は、車両の走行に伴って移動していく現在位置を表示画面上に道路地図と共に表示したり、現在地から乗員が設定した目的地までの経路を案内したりするものである。
【００２８】
そして、このカーナビゲーション装置１０は、図１に示すように、現在位置検出器１２、道路標識データベース（道路標識ＤＢ）１４、受信機１６、メモリ１８、操作検出器２０、画像表示器２２、音声報知器２４、前方カメラ２６、後方カメラ２８、画像解析器３０及び制御部３２等を有して構成されている。
【００２９】
現在位置検出器１２は、車両の現在位置、進行方向及び速度等を検出するものであり、この現在位置検出器１２は、ＧＰＳ（Ｇｌｏｂａｌ  Ｐｏｓｓｉｔｉｏｎｉｎｇ  Ｓｙｓｔｅｍ）、車速センサ、及び方位センサ等にて構成されている。
【００３０】
道路標識ＤＢ１４は、ハードディスクドライブ（ＨＤＤ）、ＤＶＤ、フラッシュＲＯＭ等の記憶手段に記憶されており、この道路標識ＤＢ１４は、交差点情報、道路情報、標識情報、白線情報、一時停止位置情報、及び曲率情報等にて構築されている。
【００３１】
なお、交差点情報とは、十字路やＴ字路等の交差点の位置及びその形状等を表す情報であり、道路情報とは、道路の形状、車線の数、道路の幅及び道路の制限速度等を表す情報であり、標識情報とは、道路上に設置されている標識及びその形状等を表す情報である。
【００３２】
また、白線情報とは、道路に引かれた白線の位置及びその形状等を表す情報であり、一時停止位置情報とは、車両が一時停止すべき位置を表す情報であり、曲率情報とは、道路の曲率を表す情報である。
【００３３】
受信機１６は、路上装置５０から発信された各種情報（検出結果）を受信するとともに、図示しない交通情報センタから発信された渋滞情報及び道路事故情報等の交通情報を受信する。
【００３４】
メモリ１８は、電力の供給が遮断されてもデータ（情報）を記憶（保持）することが可能な不揮発性のメモリ（本実施形態では、フラッシュＲＯＭ）で構成されており、このメモリ１８には、受信機１６により受信された受信情報や、後述の部分経路及び走行条件等の各種情報が記憶されている。
【００３５】
操作検出器２０は、ステアリング操作、ブレーキ操作、アクセル操作、及びギア操作等の運転者による操作（運転操作）、並びにカーナビゲーション装置１０に設けられた図示しないスイッチ部の操作等を検出するものであり、この操作検出器２０は、運転操作及びスイッチ操作等の検出結果を制御部３２へ出力する。
【００３６】
画像表示器２２は、各種情報を表示画面上に表示するものであり、この画像表示器２２は、制御部３２に制御されて、車両が走行する周辺の地図画面を表示するとともに、車両の現在位置を表す現在位置マークをカラーで表示したり、乗員に対する注意換気用のメッセージ等を表示したりする。また、音声報知器２４は、乗員に必要な各種案内を音声にて出力するためのものである。
【００３７】
前方カメラ２６は車両の前方に取り付けられて車両の前方側を撮影するものであり、前方カメラ２６による撮影結果（映像信号）は画像解析器３０に入力される。また、後方カメラ２８は車両の後方に取り付けられて車両の後方側を撮影するものであり、後方カメラ２８による撮影結果（映像信号）は画像解析器３０に入力される。
【００３８】
画像解析器３０は、前方カメラ２６から入力された映像信号に基づいて、車両前方の信号機の信号色、他車両及び歩行者等を検出し、その検出結果を制御部３２へ出力する。また、画像解析器３０は、後方カメラ２８から入力された映像信号に基づいて、車両後方の他車両を検出し、その検出結果を制御部３２へ出力する。
【００３９】
制御部３２は、ＣＰＵ、ＲＡＭ、ＲＯＭ等からなるマイクロコンピュータにて構成されており、この制御部３２は、ＲＯＭ等の記憶装置に記憶されたプログラムを実行することで装置１０内の各部を制御する。
【００４０】
また、制御部３２は、受信機１６により受信された受信結果、及び画像解析器３０により検出された検出結果をメモリ１８に記憶する。また、制御部３２には、走行制御システム６０が通信可能に接続されており、走行制御システム６０は、図示しないエンジン、制動装置及び操舵装置等の車両の走行に関する機関を制御する。
【００４１】
２．カーナビゲーション装置１０の概略作動
カーナビゲーション装置１０では、車両のエンジンが始動すると、現在位置検出器１２により検出される車両の現在位置を、車両の周辺の地図画面上に重ねて画像表示器２２に表示するとともに、目的地が設定されている場合には、更に目的地までの経路（案内経路）を設定してその経路の案内を行う、といった一般的な地図表示処理及び経路案内処理が、制御部３２により実行される。
【００４２】
さらに、目的地が設定されている場合には、車両が現在位置から目的地までの案内経路を走行する際に模範とすべき加速度、操舵角及び制限速度等の走行条件を計算する走行条件計算処理、並びに操作検出器２０により検出された検出結果、及び走行条件計算処理により計算された走行条件等に基づいて、車両の加速度及び操舵角を制御する運転支援処理等が、制御部３２により実行される。
【００４３】
また、カーナビゲーション装置１０では、エンジンが始動すると、前方カメラ２６及び後方カメラ２８により車両前方側及び車両後方側の撮影が行われ、この撮影結果に基づいて画像解析器３０により他車両及び歩行者の有無が検出されるとともに、車両の前方に信号機が画像解析器３０により検出された場合には、その信号機の信号色が検出される。
【００４４】
３．カーナビゲーション装置１０の特徴的作動
３．１．走行条件計算処理
図２は、カーナビゲーション装置１０の制御部３２で実行される走行条件計算処理を示すフローチャートであり、図３は、交差点内経路、部分経路及び走行条件を説明する説明図である。
【００４５】
走行条件計算処理（図２に示す制御フロー）は、車両の乗員により目的地が設定されたときに実行される処理であり、図２に示す走行条件計算処理が実行されると、まず現在位置から目的地までの案内経路、及び道路標識ＤＢ１４の各種情報に基づいて、部分経路と交差点内経路とが設定される（Ｓ１１０）。
【００４６】
具体的には、道路標識ＤＢ１４の各種情報に基づいて、案内経路のうち停止線と次の停止線との間を一区間Ｌ（図３参照）として、案内経路が複数の区間Ｌに分割される。
そして、案内経路が分割されることで設定された区間Ｌの各々は、図３に示すように、停止位置Ｐ１（換言すると発進位置Ｐ１）から交差点を超えた位置Ｐ２までの交差点内経路Ｌ１と、交差点を越えた位置Ｐ２から次の停止位置Ｐ３までの部分経路Ｌ２との２つの経路に分割（設定）される。なお、区間Ｌの中に交差点が含まれていない場合には、その区間Ｌ自体が部分経路Ｌ２となる。
【００４７】
このようにして部分経路Ｌ２と交差点内経路Ｌ１とが設定されると（Ｓ１１０）、Ｓ１１０で設定された全ての部分経路Ｌ２及び交差点内経路Ｌ１に対して、走行条件が計算される（Ｓ１２０〜Ｓ１４０）。
【００４８】
具体的には、Ｓ１１０で設定された部分経路Ｌ２及び交差点内経路Ｌ１のうち、走行条件が計算されていない部分経路Ｌ２及び交差点内経路Ｌ１があるか否かが判定される（Ｓ１２０）。なお、走行条件の計算方法等、走行条件に関する具体的な記載は後述する。
【００４９】
そして、走行条件が計算されていない部分経路Ｌ２及び交差点内経路Ｌ１がないと判定された場合には（Ｓ１２０：ＮＯ）、走行条件計算処理が終了し、逆に、走行条件が計算されていない部分経路Ｌ２及び交差点内経路Ｌ１があると判定された場合には（Ｓ１２０：ＹＥＳ）、まだ走行条件が計算されていない部分経路Ｌ２及び交差点内経路Ｌ１についての走行条件が計算される（Ｓ１３０）。
【００５０】
そして、部分経路Ｌ２及び交差点内経路Ｌ１の走行条件が計算されると（Ｓ１３０）、その計算結果（走行条件）と部分経路Ｌ２及び交差点内経路Ｌ１とが関連付けられてメモリ１８に記憶され（Ｓ１４０）、走行条件計算処理が終了する。
【００５１】
３．１．１．走行条件
走行条件とは、車両が道路を走行する際にこの車両が満たすべき条件のことであり、本実施形態では、車両の加速度（実加速度）と比較するための加速度判定値、車両の減速度と比較するための減速度判定値、及び車両の操舵角と比較するための操舵角判定値がメモリ１８に記憶されている。
【００５２】
加速度判定値は、車両が加速した際に乗員に対して必要以上の力（慣性力）が加わらない値となるように予め設定されており、減速度判定値は、車両が減速した際に乗員に対して必要以上の力（慣性力）が加わらない値となるように予め設定されており、操舵角判定値は、車両が左折又は右折した際に乗員に対して必要以上の力（遠心力）が加わらない値となるように予め設定されている。
【００５３】
なお、本実施形態では、加速度判定値と減速度判定値との絶対値が同じ値となるようにされている。また、車両が左折する場合と右折する場合とでは、曲率半径が異なるため、本実施形態では、操舵角判定値として、右折用と左折用との２種類の操舵角判定値がメモリ１８に記憶されている。
【００５４】
また、日本では法律上、車両は左側通行と定められているので、同じ交差点を車両が左折する場合と右折する場合とでは、左折する場合の方が曲率半径が小さくなる。このため、本実施形態では、左折用の操舵角判定値の方が右折用の操舵角判定値よりも大きくなるようにされている。
【００５５】
以下、走行条件の計算方法について説明する。
図２に示す走行条件計算処理のＳ１３０の処理で、走行条件の計算が行われる際には、まず、Ｓ１１０の処理で設定された区間Ｌ（図３参照）、メモリ１８に記憶された加速度判定値、減速度判定値、及び道路標識ＤＢ１４の道路情報（制限速度）等に基づいて、加速終了位置Ｐ４（図３参照）及び減速開始位置Ｐ５（図３参照）が推定される。
【００５６】
なお、加速終了位置Ｐ４とは、図３に示すように、車両が加速度判定値の加速度で発進位置Ｐ１から発進（加速）すると仮定した場合に、その車両が制限速度に至る位置のことである。また、減速開始位置Ｐ５とは、制限速度で走行している車両がその減速開始位置Ｐ５から減速度判定値の減速度で減速すると仮定した場合に、その車両が停止位置Ｐ３で確実に停止することが可能な位置のことである。
【００５７】
そして、加速終了位置Ｐ４及び減速開始位置Ｐ５が推定されると、発進位置Ｐ１から加速終了位置Ｐ４までの加速区間Ｓ１、及び減速開始位置Ｐ５から停止位置Ｐ３までの減速区間Ｓ２が設定されるとともに、区間Ｌから加速区間Ｓ１及び減速区間Ｓ２を差し引いた定速区間Ｓ３（＝Ｌ−Ｓ１−Ｓ２）が設定される。
【００５８】
なお、加速区間Ｓ１と減速区間Ｓ２とを加えた値（＝Ｓ１＋Ｓ２）が区間Ｌよりも大きい場合、定速区間Ｓ３は設定されない。
こうして加速区間Ｓ１、減速区間Ｓ２及び定速区間Ｓ３が設定されると、加速区間Ｓ１（図３では交差点内経路Ｌ１及び部分経路Ｌ２の一部）、及び減速区間Ｓ２においては、加速度判定値及び減速度判定値が走行条件として設定され、定速区間Ｓ３においては、制限速度、加速度判定値及び減速度判定値が走行条件として設定される。
【００５９】
ところで、車両は目的地に到達するまでの間に交差点で左折又は右折を行う場合がある。そして、運転者がハンドルを急激に操作した場合（急ハンドル時）においても、車両が急激に加速した場合と同様に、乗員に対して必要以上の力が加わる可能性がある。
【００６０】
そこで、本実施形態では、車両が交差点を左折又は右折する場合に、車両の操舵角と比較するための操舵角判定値が、交差点内経路Ｌ１の走行条件として追加（設定）される。
ところで、道路の幅や車線の数が変わると、車両が左折又は右折する際に必要な操舵量も変わるので、操舵角判定値内の操舵角で走行（左折又は右折）した場合であっても、車両が対向車線に侵入してしまう可能性がある。
【００６１】
そこで、本実施形態では、走行条件の設定が行われる際に、道路標識ＤＢ１４の交差点情報、道路情報及び白線情報等の車両が道路を曲がる際の曲率を表す情報に基づいて、メモリ１８に記憶された操舵角判定値が補正される。
【００６２】
また、車両が左折又は右折した際に乗員に対して加わる遠心力は、車両の速度が大ききくなるほど大きくなる。このため、走行条件の設定が行われる際には、車両が操舵角判定値の操舵角で左折又は右折したとしても、乗員に対して必要以上の遠心力が加わらない値となるように、現在位置検出器１２により検出された車両の速度に基づいて、操舵角判定値が補正されるとともに、操舵角判定値の補正結果に応じて、メモリ１８に記憶された加速度判定値及び減速度判定値が補正される。
【００６３】
つまり、交差点内経路Ｌ１については、車両が交差点を直進する場合には加速度判定値及び減速度判定値が走行条件として設定され、車両が交差点を左折及び右折する場合には、加速度判定値、減速度判定値及び操舵角判定値が走行条件として設定される。また、部分経路Ｌ２については、加速度判定値及び減速度判定値が走行条件として設定される。
【００６４】
なお、以下の説明において、部分経路Ｌ２の走行条件と交差点内経路Ｌ１の走行条件とを区別する場合には、交差点内経路Ｌ１において車両が直進する場合の走行条件を直進条件といい、交差点内経路Ｌ１において車両が左折する場合の走行条件を左折条件といい、交差点内経路Ｌ１において車両が右折する場合の走行条件を右折条件という。
【００６５】
３．２．運転支援処理
図４は、カーナビゲーション装置１０の制御部３２で実行される運転支援処理を示すフローチャートであり、この運転支援処理（図４に示す制御フロー）は、車両の乗員により目的地が設定されたときに、走行条件計算処理（図２に示す制御フロー）と並列して実行される処理である。
【００６６】
そして、図４に示す運転支援処理が実行されると、まず現在位置検出器１２による検出結果に基づいて、車両の加速度を加速度判定値未満に抑えるとともに、車両の減速度を減速度判定値未満に抑え、更に車両が左折又は右折する場合には、操作検出器２０による検出結果に基づいて、車両の操舵角を操舵角判定値未満に抑える発進処理が行われる（Ｓ２１０）。
【００６７】
Ｓ２１０で発進処理が行われると、現在位置検出器１２による検出結果に基づいて、車両の加速度を加速度判定値未満に抑えたり車両の減速度を減速度判定値未満に抑えたり、車速を制限速度未満に抑えたりする走行処理が行われる（Ｓ２２０）。
【００６８】
そして、Ｓ２２０の処理で走行処理が行われると、現在位置検出器１２による検出結果に基づいて、車両の減速度を減速度判定値未満に抑えつつこの車両を停止位置で停止させる停止処理が行われ（Ｓ２３０）、運転支援処理が終了する。
【００６９】
３．２．１．発進処理
図５は、発進処理（図４に示すＳ２１０の処理）を示すフローチャートであり、この発進処理が実行されると、まず現在位置検出器１２による検出結果に基づいて、車両の現在位置（車両が停止している位置）が確認される（Ｓ３１０）。
【００７０】
Ｓ３１０の処理で車両の現在位置が検出されると、その現在位置、及び道路標識ＤＢ１４の交差点情報に基づいて、車両の現在位置が信号機の設置された交差点の手前であるか否かが判定される（Ｓ３２０）。
【００７１】
そして、車両の現在位置が信号機の設置された交差点の手前であると判定された場合には（Ｓ３２０：ＹＥＳ）、後述の交差点発進処理が行われ（Ｓ３３０）、発進処理が終了する。
【００７２】
一方、車両の現在位置が信号機の設置された交差点の手前ではないと判定された場合には（Ｓ３２０：ＮＯ）、Ｓ３１０で検出された車両の現在位置、及び道路標識ＤＢ１４の標識情報に基づいて、車両の現在位置が停止標識の手前であるか否かが判定される（Ｓ３４０）。
【００７３】
そして、車両の現在位置が停止標識の手前であると判定された場合には（Ｓ３４０：ＹＥＳ）、後述の停止標識発進処理が行われて（Ｓ３５０）、発進処理が終了する。一方、車両の現在位置が停止標識の手前ではないと判定された場合には（Ｓ３４０：ＮＯ）、車両が現在停止している位置に応じた発進処理が行われ（Ｓ３６０）、発進処理が終了する。
【００７４】
なお、Ｓ３６０の処理では、現在位置検出器１２による検出結果に基づいて車両の加速度が加速度判定値を超えていた場合に、車両の加速度を加速度判定値未満に抑え、現在位置検出器１２による検出結果に基づいて車両の減速度が減速度判定値を超えていた場合に、車両の減速度を減速度判定値未満に抑える処理が行われる。
【００７５】
３．２．１．１．交差点発進処理
図６は、交差点発進処理（図５に示すＳ３３０の処理）を示すフローチャートであり、この交差点発進処理が実行されると、まず上述の経路案内処理で設定された案内経路に基づいて、車両が発進時に交差点を直進するか否かが判定される（Ｓ４１０）。
【００７６】
そして、車両が直進すると判定された場合には（Ｓ４１０：ＹＥＳ）、後述の交差点直進発進処理が行われ（Ｓ４２０）、交差点発進処理が終了し、逆に車両が直進しないと判定された場合には（Ｓ４１０：ＮＯ）、車両の方向指示器（ウインカー）に基づいて、車両が発進時に交差点を左折及び右折のうち何れを行うかが判定される（Ｓ４３０）。
【００７７】
そして、車両が交差点を左折すると判定された場合には（Ｓ４３０：ＹＥＳ）、後述の交差点左折発進処理が行われ（Ｓ４４０）、交差点発進処理が終了し、逆に車両が交差点を右折すると判定された場合には（Ｓ４３０：ＮＯ）、後述の交差点右折発進処理が行われ（Ｓ４５０）、交差点発進処理が終了する。
【００７８】
３．２．１．１．１．交差点直進発進処理
図７は、交差点直進発進処理（図６に示すＳ４２０の処理）を示すフローチャートであり、この交差点直進発進処理は、図６に示す交差点発進処理のＳ４１０の処理で、車両が発進時に交差点を直進すると判定された場合に実行される。
【００７９】
そして、交差点直進発進処理が実行されると、まず直進条件及び追従条件がメモリ１８から読み出される（Ｓ５１０）。
なお、追従条件とは、車両が他車両に追従して走行する際にこの車両が満たすべき走行条件のことであり、本実施形態では、車両と他車両（追従対象の車両）との車間距離を所定間隔以上空けるように車両を制御するための車間距離情報、加速度判定値及び減速度判定値が追従条件としてメモリ１８に記憶されている。また、車間距離情報は、車速に応じて車両が空けるべき車間距離が異なる値となるようにされている。
【００８０】
そして、Ｓ５１０の処理で直進条件及び追従条件が読み出されると、受信機１６による受信結果、及び画像解析器３０による検出結果がメモリ１８から読み出され、車両周辺に存在する移動体（例えば、他車両や歩行者）の有無、及び信号機の信号色等が検出される（Ｓ５１５）。
【００８１】
続いて、Ｓ５１５の処理における移動体の検出結果に基づいて、車両の前方に他車両が存在するか否かが判定される（Ｓ５２０）。そして、車両の前方に他車両が存在しないと判定された場合には（Ｓ５２０：ＮＯ）、Ｓ５１５の処理での検出結果に基づいて、車両が発進してもよいか否かが判定される（Ｓ５２５）。
【００８２】
ここで、Ｓ５２５の処理では、画像解析器３０により信号機の信号色が青色であることが検出された場合、及び車両の周囲に移動体が検出されなかった場合等の複数の条件が全て満たされた場合に、車両が発進してもよいと判定される。
【００８３】
そして、車両が発進してはいけないと判定された場合には（Ｓ５２５：ＮＯ）、その旨が乗員に対して報知されるとともに（Ｓ５３０）、走行制御システム６０が制御部３２により制御されることで車両の発進（走行）が禁止され（Ｓ５３５）、Ｓ５１５の処理に戻る。
【００８４】
なお、本実施形態では、Ｓ５２５の処理で車両が発進してもよいと判定されるまでの間、走行制御システム６０がスロットルバルブの開度を全閉状態に保つことにより、車両の発進が禁止されるようにされている。
【００８５】
一方、車両が発進してもよいと判定された場合には（Ｓ５２５：ＹＥＳ）、車両の発進が許可されて、車両の走行状態が直進条件を満たしているか否かが判定される（Ｓ５４０）。
【００８６】
具体的には、Ｓ５４０の処理では、現在位置検出器１２による検出結果に基づいて車両の加速度及び減速度を検出し、この結果から、車両の加速度が加速度判定値を超えていた場合、又は、車両の減速度が減速度判定値を超えていた場合に、車両の走行状態が直進条件を満たしていないと判定される。
【００８７】
そして、車両の走行状態が直進条件を満たしていない、すなわち車両の加速度が加速度判定値を超えた、又は、車両の減速度が減速度判定値を超えたと判定された場合には（Ｓ５４０：ＮＯ）、その旨が乗員に対して報知され（Ｓ５４５）、車両の走行状態が直進条件を満たすように補正処理が実行される（Ｓ５５０）。
【００８８】
ここで、Ｓ５５０の処理では、制御部３２が走行制御システム６０に対して補正指令を送信することで、走行制御システム６０は、車両の加速度を加速度判定値未満に抑えるようにスロットルバルブの開度を制御し、車両の減速度を減速度判定値未満に抑えるようにスロットルバルブの開度又は制動装置を制御する。
【００８９】
そして、Ｓ５５０の処理で補正処理が実行されると、現在位置検出器１２により検出される車両の現在位置、及び道路標識ＤＢ１４の交差点情報に基づいて、車両が交差点を通過したか否かが判定され（Ｓ５５５）、車両が交差点を通過していないと判定された場合には（Ｓ５５５：ＮＯ）、Ｓ５１５の処理に戻り、逆に車両が交差点を通過したと判定された場合には（Ｓ５５５：ＹＥＳ）、交差点直進発進処理が終了する。
【００９０】
また、Ｓ５４０の処理で車両の走行状態が直進条件を満たしていると判定された場合には（Ｓ５４０：ＹＥＳ）、Ｓ５５５の処理に進んで、車両が交差点を通過したか否かが判定される。
【００９１】
また、Ｓ５２０の処理で車両の前方に他車両が存在すると判定された場合には（Ｓ５２０：ＹＥＳ）、Ｓ５１５の処理での検出結果に基づいて、車両が他車両に追従して発進してもよいか否かが判定される（Ｓ５６０）。
【００９２】
ここで、Ｓ５６０の処理では、車両の前方に存在する他車両が車両と同じ車線に存在することが検出された場合、及びその他車両が発進したことが検出された場合等の複数の条件が全て満たされた場合に、車両が他車両に追従して発進してもよいと判定される。
【００９３】
そして、車両が他車両に追従して発進してはいけないと判定された場合には（Ｓ５６０：ＮＯ）、Ｓ５２５の処理に進んで、車両が発進してもよいか否かが判定される。一方、車両が他車両に追従して発進してもよいと判定された場合には（Ｓ５６０：ＹＥＳ）、車両の走行状態が追従条件を満たしているか否かが判定される（Ｓ５６５）。
【００９４】
そして、車両の走行状態が追従条件を満たしていると判定された場合には（Ｓ５６５：ＹＥＳ）、Ｓ５５５の処理に進んで、車両が交差点を通過したか否かが判定される。一方、車両の走行状態が追従条件を満たしていないと判定された場合には（Ｓ５６５：ＮＯ）、その旨が乗員に対して報知され（Ｓ５７０）、車両の走行状態が追従条件を満たすように補正処理が実行される（Ｓ５７５）。
【００９５】
なお、Ｓ５７５の処理では、制御部３２が走行制御システム６０に対して補正指令を送信することで、走行制御システム６０は、車両の走行状態が追従条件を満たすように、スロットルバルブの開度、制動装置及び操舵装置を制御する。
【００９６】
そして、Ｓ５７５の処理で補正処理が実行されると、Ｓ５５５の処理に進んで、車両が交差点を通過したか否かが判定される。
３．２．１．１．２．交差点左折発進処理
図８は、交差点左折発進処理（図６に示すＳ４４０の処理）を示すフローチャートであり、図９は、交差点左折発進処理が実行された際の作動を説明する説明図である。なお、図８に示す交差点左折発進処理は、図６に示すＳ４３０の処理で車両が発進時に交差点を左折すると判定された場合に実行される。
【００９７】
そして、交差点左折発進処理が実行されると、まず左折条件及び追従条件がメモリ１８から読み出され（Ｓ６１０）、続いて、受信機１６による受信結果、及び画像解析器３０による検出結果がメモリ１８から読み出され、車両周辺に存在する移動体（例えば、他車両や歩行者）の有無、及び信号機の信号色等が検出される（Ｓ６１５）。
【００９８】
続いて、Ｓ６１５の処理における移動体の検出結果に基づいて、車両の前方に他車両が存在するか否かが判定される（Ｓ６２０）。そして、車両の前方に他車両が存在しないと判定された場合には（Ｓ６２０：ＮＯ）、Ｓ６１５の処理での検出結果に基づいて、車両が発進してもよいか否かが判定される（Ｓ６２５）。
【００９９】
ここで、Ｓ６２５の処理では、画像解析器３０により信号機の信号色が青色であることが検出された場合、及び車両の周囲に移動体が検出されなかった場合等の複数の条件が全て満たされた場合に、車両が発進してもよいと判定される。
【０１００】
そして、車両が発進してはいけないと判定された場合には（Ｓ６２５：ＮＯ）、その旨が乗員に対して報知されるとともに（Ｓ６３０）、走行制御システム６０が制御部３２により制御されることで車両の発進（走行）が禁止され（Ｓ６３５）、Ｓ６１５の処理に戻る。なお、Ｓ６３５の処理内容は、上述したＳ５３５の処理と同じである（図７参照）。
【０１０１】
一方、車両が発進してもよいと判定された場合には（Ｓ６２５：ＹＥＳ）、車両の発進が許可されて、車両の走行状態が左折条件を満たしているか否かが判定される（Ｓ６４０）。
【０１０２】
具体的には、Ｓ６４０の処理では、現在位置検出器１２による検出結果に基づいて車両の加速度及び減速度を検出するとともに、操作検出器２０による検出結果に基づいて、車両の操舵角を検出し、この結果から、加速度が加速度判定値を超えていた場合、又は、減速度が減速度判定値を超えていた場合、又は、操舵角が左折用の操舵角判定値を超えていた場合に、車両の走行状態が左折条件を満たしていないと判定される。
【０１０３】
そして、車両の走行状態が左折条件を満たしていないと判定された場合には（Ｓ６４０：ＮＯ）、その旨が乗員に対して報知され（Ｓ６４５）、車両の走行状態が左折条件を満たすように補正処理が実行される（Ｓ６５０）。
【０１０４】
ここで、Ｓ６５０の処理では、制御部３２が走行制御システム６０に対して補正指令を送信することで、走行制御システム６０は、図９の実線に示すように、車両の加速度を加速度判定値未満に抑えるようにスロットルバルブの開度を制御し、車両の減速度を減速度判定値未満に抑えるようにスロットバルブの開度又は制動装置を制御し、車両の操舵角を左折用の操舵角判定値未満に抑えるように操舵装置を制御する。
【０１０５】
なお、図９の点線で示す部分は、本発明の運転支援システムが適用されていない車両で急加速及び急ハンドル操作が行われた場合を示している。
そして、Ｓ６５０の処理で補正処理が実行されると、現在位置検出器１２により検出される車両の現在位置、及び道路標識ＤＢ１４の交差点情報に基づいて、車両が交差点を通過したか否かが判定され（Ｓ６５５）、車両が交差点を通過していないと判定された場合には（Ｓ６５５：ＮＯ）、Ｓ６１５の処理に戻り、逆に車両が交差点を通過したと判定された場合には（Ｓ６５５：ＹＥＳ）、交差点左折発進処理が終了する。
【０１０６】
また、Ｓ６４０の処理で車両の走行状態が左折条件を満たしていると判定された場合には（Ｓ６４０：ＹＥＳ）、Ｓ６５５の処理に進んで、車両が交差点を通過したか否かが判定される。
【０１０７】
また、Ｓ６２０の処理で車両の前方に他車両が存在すると判定された場合には（Ｓ６２０：ＹＥＳ）、Ｓ６１５の処理での検出結果に基づいて、車両が他車両に追従して発進してもよいか否かが判定される（Ｓ６６０）。
【０１０８】
ここで、Ｓ６６０の処理では、車両の前方に存在する他車両が車両と同じ車線に存在することが検出された場合、その他車両が発進したことが検出された場合、及びその他車両が左折することが検出された場合等の複数の条件が全て満たされた場合に、車両が他車両に追従して発進してもよいと判定される。
【０１０９】
そして、車両が他車両に追従して発進してはいけないと判定された場合には（Ｓ６６０：ＮＯ）、Ｓ６２５の処理に進んで、車両が発進してもよいか否かが判定される。一方、車両が他車両に追従して発進してもよいと判定された場合には（Ｓ６６０：ＹＥＳ）、車両の走行状態が追従条件を満たしているか否かが判定される（Ｓ６６５）。
【０１１０】
そして、車両の走行状態が追従条件を満たしていると判定された場合には（Ｓ６６５：ＹＥＳ）、Ｓ６５５の処理に進んで、車両が交差点を通過したか否かが判定される。一方、車両の走行状態が追従条件を満たしていないと判定された場合には（Ｓ６６５：ＮＯ）、その旨が乗員に対して報知され（Ｓ６７０）、車両の走行状態が追従条件を満たすように補正処理が実行される（Ｓ６７５）。なお、Ｓ６７５の処理内容は、上述したＳ５７５の処理（図７参照）と同じである。
【０１１１】
そして、Ｓ６７５の処理で補正処理が実行されると、Ｓ６５５の処理に進んで、車両が交差点を通過したか否かが判定される。
３．２．１．１．３．交差点右折発進処理
図１０は、交差点右折発進処理（図６に示すＳ４５０の処理）を示すフローチャートであり、この交差点右折発進処理は、図６に示すＳ４３０の処理で車両が発進時に交差点を右折すると判定された場合に実行される。
【０１１２】
そして、交差点右折発進処理が実行されると、まず右折条件及び追従条件がメモリ１８から読み出され（Ｓ７１０）、続いて、受信機１６による受信結果、及び画像解析器３０による検出結果がメモリ１８から読み出され、車両周辺に存在する移動体（例えば、他車両や歩行者）の有無、及び信号機の信号色等が検出される（Ｓ７１５）。
【０１１３】
続いて、Ｓ７１５の処理における移動体の検出結果に基づいて、車両の前方に他車両が存在するか否かが判定される（Ｓ７２０）。そして、車両の前方に他車両が存在しないと判定された場合には（Ｓ７２０：ＮＯ）、Ｓ７１５の処理での検出結果に基づいて、車両が発進してもよいか否かが判定される（Ｓ７２５）。
【０１１４】
ここで、Ｓ７２５の処理では、画像解析器３０により信号機の信号色が青色であることが検出された場合、及び車両の周囲に移動体が検出されなかった場合等の複数の条件が全て満たされた場合に、車両が発進してもよいと判定される。
【０１１５】
そして、車両が発進してはいけないと判定された場合には（Ｓ７２５：ＮＯ）、その旨が乗員に対して報知されるとともに（Ｓ７３０）、走行制御システム６０が制御部３２により制御されることで車両の発進（走行）が禁止され（Ｓ７３５）、Ｓ７１５の処理に戻る。なお、Ｓ７３５の処理内容は、上述したＳ５３５（図７参照）及びＳ６３５の処理（図８参照）と同じである。
【０１１６】
一方、車両が発進してもよいと判定された場合には（Ｓ７２５：ＹＥＳ）、車両の発進が許可されて、車両の走行状態が右折条件を満たしているか否かが判定される（Ｓ７４０）。
【０１１７】
具体的には、Ｓ７４０の処理では、現在位置検出器１２による検出結果に基づいて車両の加速度及び減速度を検出するとともに、操作検出器２０による検出結果に基づいて、車両の操舵角を検出し、この結果から、加速度が加速度判定値を超えていた場合、又は、減速度が減速度判定値を超えていた場合、又は、操舵角が右折用の操舵角判定値を超えていた場合に、車両の走行状態が左折条件を満たしていないと判定される。
【０１１８】
そして、車両の走行状態が右折条件を満たしていないと判定された場合には（Ｓ７４０：ＮＯ）、その旨が乗員に対して報知され（Ｓ７４５）、車両の走行状態が右折条件を満たすように補正処理が実行される（Ｓ７５０）。
【０１１９】
ここで、Ｓ７５０の処理では、制御部３２が走行制御システム６０に対して補正指令を送信することで、走行制御システム６０は、車両の加速度を加速度判定値未満に抑えるようにスロットルバルブの開度を制御し、車両の減速度を減速度判定値未満に抑えるようにスロットルバルブの開度又は制動装置を制御し、車両の操舵角を右折用の操舵角判定値未満に抑えるように操舵装置を制御する。
【０１２０】
そして、Ｓ７５０の処理で補正処理が実行されると、現在位置検出器１２により検出される車両の現在位置、及び道路標識ＤＢ１４の交差点情報に基づいて、車両が交差点を通過したか否かが判定され（Ｓ７５５）、車両が交差点を通過していないと判定された場合には（Ｓ７５５：ＮＯ）、Ｓ７１５の処理に戻り、逆に車両が交差点を通過したと判定された場合には（Ｓ７５５：ＹＥＳ）、交差点右折発進処理が終了する。
【０１２１】
また、Ｓ７４０の処理で車両の走行状態が右折条件を満たしていると判定された場合には（Ｓ７４０：ＹＥＳ）、Ｓ７５５の処理に進んで、車両が交差点を通過したか否かが判定される。
【０１２２】
また、Ｓ７２０の処理で車両の前方に他車両が存在すると判定された場合には（Ｓ７２０：ＹＥＳ）、Ｓ７１５の処理での検出結果に基づいて、車両が他車両に追従して発進してもよいか否かが判定される（Ｓ７６０）。
【０１２３】
ここで、Ｓ７６０の処理では、車両の前方に存在する他車両が車両と同じ車線に存在することが検出された場合、その他車両が発進したことが検出された場合、及びその他車両が左折することが検出された場合等の複数の条件が全て満たされた場合に、車両が他車両に追従して発進してもよいと判定される。
【０１２４】
そして、車両が他車両に追従して発進してはいけないと判定された場合には（Ｓ７６０：ＮＯ）、Ｓ７２５の処理に進んで、車両が発進してもよいか否かが判定される。一方、車両が他車両に追従して発進してもよいと判定された場合には（Ｓ７６０：ＹＥＳ）、車両の走行状態が追従条件を満たしているか否かが判定される（Ｓ７６５）。
【０１２５】
そして、車両の走行状態が追従条件を満たしていると判定された場合には（Ｓ７６５：ＹＥＳ）、Ｓ７５５の処理に進んで、車両が交差点を通過したか否かが判定される。一方、車両の走行状態が追従条件を満たしていないと判定された場合には（Ｓ７６５：ＮＯ）、その旨が乗員に対して報知され（Ｓ７７０）、車両の走行状態が追従条件を満たすように補正処理が実行される（Ｓ７７５）。なお、Ｓ７７５の処理内容は、上述したＳ５７５の処理（図７参照）と同じである。
【０１２６】
そして、Ｓ７７５の処理で補正処理が実行されると、Ｓ６５５の処理に進んで、車両が交差点を通過したか否かが判定される。
３．２．１．２．停止標識発進処理
図１１は、停止標識発進処理（図５に示すＳ３５０の処理）を示すフローチャートであり、この停止標識発進処理が実行されると、まず上述の経路案内処理で設定された案内経路に基づいて、停止標識の手前で停止した車両が発進時に直進するか否かが判定される（Ｓ８１０）。
【０１２７】
そして、車両が発進時に直進すると判定された場合には（Ｓ８１０：ＹＥＳ）、後述の停止標識直進発進処理が行われ（Ｓ８２０）、停止標識発進処理が終了し、逆に車両が発進時に直進しないと判定された場合には（Ｓ８１０：ＮＯ）、車両の方向指示器に基づいて、車両が発進時に左折及び右折のうち何れを行うかが判定される（Ｓ８３０）。
【０１２８】
そして、車両が発進時に左折を行うと判定された場合には（Ｓ８３０：ＹＥＳ）、停止標識左折発進処理が行われ（Ｓ８４０）、停止標識発進処理が終了し、逆に車両が発進時に右折を行うと判定された場合には（Ｓ８３０：ＮＯ）、停止標識右折発進処理が行われ（Ｓ８５０）、停止標識発進処理が終了する。
【０１２９】
３．２．１．２．１．停止標識直進発進処理
図１２は、停止標識直進発進処理（図１１に示すＳ８２０の処理）を示すフローチャートであり、この停止標識直進発進処理は、図１１に示すＳ８１０の処理で、車両が直進すると判定された場合に実行される。そして、停止標識直進発進処理が実行されると、まず直進条件がメモリ１８から読み出される（Ｓ９１０）。
【０１３０】
そして、Ｓ９１０の処理で直進条件が読み出されると、受信機１６による受信結果、及び画像解析器３０による検出結果がメモリ１８から読み出され、車両周辺に存在する移動体の有無が検出される（Ｓ９２０）。
【０１３１】
そして、車両周辺に存在する移動体の有無が検出されると、その検出結果に基づいて、車両が発進してもよいか否かが判定される（Ｓ９３０）。なお、このＳ９３０の処理では、車両の左側及び右側に他車両が存在しないことが検出された場合、及びこの車両が走行すると推測される道路（横断歩道）に通行人が検出されなかった場合等の複数の条件がすべて満たされた場合に、車両が発進してもよいと判定される。
【０１３２】
そして、車両が発進してはいけないと判定された場合には（Ｓ９３０：ＮＯ）、その旨が乗員に対して報知されるとともに（Ｓ９４０）、走行制御システム６０が制御部３２に制御されることで車両の発進が禁止され（Ｓ９５０）、Ｓ９２０の処理に戻る。なお、Ｓ９５０の処理内容は、上述したＳ５３５の処理（図７参照）と同じである。
【０１３３】
一方、車両が発進してもよいと判定された場合には（Ｓ９３０：ＹＥＳ）、車両の発進が許可されて、車両の走行状態が直進条件を満たしているか否かが判定される（Ｓ９６０）。なお、Ｓ９６０の処理内容は、Ｓ５４０の処理（図７参照）と同じである。
【０１３４】
そして、車両の走行状態が直進条件を満たしていないと判定された場合には（Ｓ９３０：ＮＯ）、その旨が乗員に対して報知され（Ｓ９７０）、車両の走行状態が直進条件を満たすように補正処理が実行される（Ｓ９８０）。なお、このＳ９８０の処理では、上述したＳ５５０の処理と同じ処理が行われる（図７参照）。
【０１３５】
そして、Ｓ９８０の処理で補正処理が実行されると、現在位置検出器１２により検出される車両の現在位置、及び道路標識ＤＢ１４の交差点情報に基づいて、車両が交差点を通過したか否かが判定され（Ｓ９９０）、車両が交差点を通過していないと判定された場合には（Ｓ９９０：ＮＯ）、Ｓ９２０の処理に戻り、逆に車両が交差点を通過したと判定された場合には（Ｓ９９０：ＹＥＳ）、停止標識直進発進処理が終了する。
【０１３６】
また、Ｓ９６０の処理で車両の走行状態が直進条件を満たしていると判定された場合には（Ｓ９６０：ＹＥＳ）、Ｓ９９０の処理に進んで、車両が交差点を通過したか否かが判定される。
【０１３７】
３．２．１．２．２．停止標識左折発進処理
図１３は、停止標識左折発進処理（図１１に示すＳ８４０の処理）を示すフローチャートであり、この停止標識左折発進処理は、図１１に示すＳ８３０の処理で車両が発進時に左折を行うと判定された場合に実行される。
【０１３８】
そして、図１３に示す停止標識左折発進処理が実行されると、まず左折条件がメモリ１８から読み出され（Ｓ１０１０）、受信機１６による受信結果、及び画像解析器３０による検出結果がメモリ１８から読み出されて、車両周辺に存在する移動体の有無が検出される（Ｓ１０２０）。
【０１３９】
続いて、乗員（運転者）に対して交差点を左折するように促す（案内する）ための報知が行われ（Ｓ１０２５）、Ｓ１０２０における移動体の検出結果に基づいて、車両が発進してもよいか否かが判定される（Ｓ１０３０）。
【０１４０】
なお、このＳ１０３０の処理では、車両の右側に他車両が存在しないことが検出された場合、及びこの車両が走行すると推測される道路（横断歩道）に通行人が検出されなかった場合等の複数の条件がすべて満たされた場合に、車両が発進してもよいと判定される。
【０１４１】
そして、車両が発進してはいけないと判定された場合には（Ｓ１０３０：ＮＯ）、その旨が乗員に対して報知されるとともに（Ｓ１０４０）、走行制御システム６０が制御部３２により制御されることで車両の発進（走行）が禁止され（Ｓ１０５０）、Ｓ１０２０の処理に戻る。なお、Ｓ１０５０の処理内容は、上述したＳ５３５の処理（図７参照）と同じである。
【０１４２】
一方、車両が発進してもよいと判定された場合には（Ｓ１０３０：ＹＥＳ）、車両の発進が許可されて、車両の走行状態が左折条件を満たしているか否かが判定される（Ｓ１０６０）。なお、Ｓ１０６０の処理内容は、上述したＳ６４０の処理（図８参照）と同じである。
【０１４３】
そして、車両の走行状態が左折条件を満たしていないと判定された場合には（Ｓ１０３０：ＮＯ）、その旨が乗員に対して報知され（Ｓ１０７０）、車両の走行状態が左折条件を満たすように補正処理が実行される（Ｓ１０８０）。なお、このＳ１０８０の処理では、上述したＳ６５０の処理と同じ処理が行われる（図８参照）。
【０１４４】
そして、Ｓ１０８０の処理で補正処理が実行されると、現在位置検出器１２により検出される車両の現在位置、及び道路標識ＤＢ１４の交差点情報に基づいて、車両が交差点を通過したか否かが判定される（Ｓ１０９０）。
【０１４５】
Ｓ１０９０の処理で車両が交差点を通過していないと判定された場合には（Ｓ１０９０：ＮＯ）、Ｓ１０２０の処理に戻り、逆に車両が交差点を通過したと判定された場合には（Ｓ１０９０：ＹＥＳ）、停止標識右折発進処理が終了する。
【０１４６】
また、Ｓ１０６０の処理で車両の走行状態が右折条件を満たしていると判定された場合には（Ｓ１０６０：ＹＥＳ）、Ｓ１０９０の処理に進んで、車両が交差点を通過したか否かが判定される。
【０１４７】
３．２．１．２．３．停止標識右折発進処理
図１４は、停止標識右折発進処理（図１１に示すＳ８５０の処理）を示すフローチャートであり、この停止標識右折発進処理は、図１１に示すＳ８３０の処理で車両が発進時に右折を行うと判定された場合に実行される。
【０１４８】
そして、図１４に示す停止標識右折発進処理が実行されると、まず右折条件がメモリ１８から読み出され（Ｓ１１１０）、受信機１６による受信結果、及び画像解析器３０による検出結果がメモリ１８から読み出されて、車両周辺に存在する移動体の有無が検出される（Ｓ１１２０）。
【０１４９】
続いて、乗員（運転者）に対して交差点を右折するように促す（案内する）ための報知が行われ（Ｓ１１２５）、Ｓ１１２０における移動体の検出結果に基づいて、車両が発進してもよいか否かが判定される（Ｓ１１３０）。
【０１５０】
なお、このＳ１０３０の処理では、車両の右側、左側及び対向車線に他車両が存在しないことが検出された場合、及びこの車両が走行すると推測される道路（横断歩道）に通行人が検出されなかった場合等の複数の条件がすべて満たされた場合に、車両が発進してもよいと判定される。
【０１５１】
そして、車両が発進してはいけないと判定された場合には（Ｓ１１３０：ＮＯ）、その旨が乗員に対して報知されるとともに（Ｓ１１４０）、走行制御システム６０が制御部３２により制御されることで車両の発進（走行）が禁止され（Ｓ１１５０）、Ｓ１１２０の処理に戻る。なお、Ｓ１１５０の処理内容は、上述したＳ５３５の処理（図７参照）と同じである。
【０１５２】
一方、車両が発進してもよいと判定された場合には（Ｓ１１３０：ＹＥＳ）、車両の発進が許可されて、車両の走行状態が右折条件を満たしているか否かが判定される（Ｓ１１６０）。なお、Ｓ１１６０の処理は、上述したＳ７４０の処理（図１０参照）と同じ処理である。
【０１５３】
そして、車両の走行状態が右折条件を満たしていないと判定された場合には（Ｓ１１３０：ＮＯ）、その旨が乗員に対して報知され（Ｓ１１７０）、車両の走行状態が右折条件を満たすように補正処理が実行される（Ｓ１１８０）。なお、このＳ１１８０の処理では、上述したＳ７５０の処理（図１０参照）と同じ処理が行われる。
【０１５４】
そして、Ｓ１１８０の処理で補正処理が実行されると、現在位置検出器１２により検出される車両の現在位置、及び道路標識ＤＢ１４の交差点情報に基づいて、車両が交差点を通過したか否かが判定される（Ｓ１１９０）。
【０１５５】
Ｓ１１９０の処理で車両が交差点を通過していないと判定された場合には（Ｓ１１９０：ＮＯ）、Ｓ１１２０の処理に戻り、逆に車両が交差点を通過したと判定された場合には（Ｓ１１９０：ＹＥＳ）、停止標識右折発進処理が終了する。
【０１５６】
また、Ｓ１１６０の処理で車両の走行状態が右折条件を満たしていると判定された場合には（Ｓ１１６０：ＹＥＳ）、Ｓ１１９０の処理に進んで、車両が交差点を通過したか否かが判定される。
【０１５７】
３．２．２．走行処理
図１５は、走行処理（図４に示すＳ２２０の処理）を示すフローチャートであり、この走行処理は発進処理（図４に示すＳ２１０の処理）が終了したときに実行される処理である。
【０１５８】
そして、図１５に示す走行処理が実行されると、まず車両が発進処理にて通過した交差点を表す交差点通過履歴がメモリ１８に記憶され（Ｓ１２１０）、これから車両が通過すると予測される部分経路Ｌ２に対応する走行条件が、メモリ１８に記憶されているか否かが判定される（Ｓ１２１５）。
【０１５９】
そして、走行条件が記憶されていると判定された場合には（Ｓ１２１５：ＹＥＳ）、その走行条件がメモリ１８から読み出されるとともに追従条件が読み出され（Ｓ１２２０）、受信機１６による受信結果、及び画像解析器３０による検出結果がメモリ１８から読み出され、車両周辺に存在する移動体の有無、及び信号機の信号色等が検出される（Ｓ１２２５）。
【０１６０】
そして、Ｓ１２２５の処理で車両周辺に存在する移動体の有無が検出されると、車両の前方に他車両が存在するか否かが判定され（Ｓ１２３０）、車両の前方に他車両が存在しないと判定された場合には（Ｓ１２３０：ＮＯ）、車両の走行状態が走行条件を満たしているか否かが判定される（Ｓ１２３５）。
【０１６１】
具体的には、Ｓ１２３５の処理では、現在位置検出器１２による検出結果に基づいて車両の加速度、減速度及び速度を検出し、この結果から、車両の加速度が加速度判定値を超えていた場合、又は、減速度が減速度判定値を超えていた場合、又は、速度が制限速度を超えていた場合に、車両の走行状態が走行条件を満たしていないと判定される。
【０１６２】
そして、車両の走行状態が走行条件を満たしていないと判定された場合には（Ｓ１２３５：ＮＯ）、その旨が乗員に対して報知され（Ｓ１２４０）、車両の走行状態が走行条件を満たすように補正処理が実行される（Ｓ１２４５）。
【０１６３】
ここで、Ｓ１２４５の処理では、制御部３２が走行制御システム６０に対して補正指令を送信することで、走行制御システム６０は、車両の加速度を加速度判定値未満に抑えるようにスロットルバルブの開度を制御し、車両の減速度を減速度判定値未満に抑えるようにスロットルバルブの開度又は制動装置を制御し、車両の速度を制限速度未満に抑えるようにスロットルバルブの開度を制御する。
【０１６４】
そして、Ｓ１２４５の処理で補正処理が実行されると、現在位置検出器１２により検出される車両の現在位置に基づいて、車両の現在位置が部分経路Ｌ２の終端に接近してきたか否かが判定される（Ｓ１２５０）。
【０１６５】
そして、車両の現在位置が部分経路Ｌ２の終端に接近していないと判定された場合には（Ｓ１２５０：ＮＯ）、現在位置検出器１２による検出結果に基づいて、車両が停止したか否かが判定され（Ｓ１２５５）、車両が停止したと判定された場合には（Ｓ１２５５：ＹＥＳ）、発進処理（図４に示すＳ２１０の処理）に戻り、逆に車両が停止していないと判定された場合には（Ｓ１２５５：ＮＯ）、Ｓ１２１５の処理に戻る。
【０１６６】
また、Ｓ１２５０の処理で車両の現在位置が部分経路Ｌ２の終端に接近していると判定された場合には（Ｓ１２５０：ＹＥＳ）、Ｓ１２２５の処理で検出された検出結果に基づいて、車両が停止位置で停止すべきか否かを判定するための停止判定処理が行われる（Ｓ１２６０）。
【０１６７】
そして、停止判定処理の判定結果に基づいて、車両が停止位置で停止する必要があると判定された場合には（Ｓ１２６５：ＹＥＳ）、走行処理が終了する。
一方、車両が停止位置で停止する必要がないと判定された場合には（Ｓ１２６５：ＮＯ）、車両が交差点を通過したか否かが判定される（Ｓ１２７０）。そして、車両が交差点を通過していないと判定された場合には（Ｓ１２７０：ＮＯ）、Ｓ１２１５の処理に戻り、逆に車両が交差点を通過したと判定された場合には（Ｓ１２７０：ＹＥＳ）、Ｓ１２１０の処理に戻る。
【０１６８】
また、Ｓ１２３０の処理で、車両の前方に他車両が存在すると判定された場合には、車両がその他車両に追従して走行してもよいか否かが判定される（Ｓ１２７５）。そして、車両が他車両に追従して走行してはいけないと判定された場合には（Ｓ１２７５：ＮＯ）、Ｓ１２３５の処理に進む。
【０１６９】
一方、車両が他車両に追従して走行してもよいと判定された場合には（Ｓ１２７５：ＹＥＳ）、車両の走行状態が追従条件を満たしているか否かが判定される（Ｓ１２８０）。そして、車両の走行状態が追従条件を満たしていると判定された場合には（Ｓ１２８０：ＹＥＳ）、Ｓ１２５０の処理に進む。
【０１７０】
また、車両の走行状態が追従条件を満たしていないと判定された場合には（Ｓ１２８０：ＮＯ）、その旨が乗員に対して報知されるとともに（Ｓ１２８５）、車両の走行状態が追従条件を満たすように補正処理が実行されて（Ｓ１２４５）、Ｓ１２５０の処理に進む。なお、Ｓ１２４５の処理内容は、上述したＳ５７５の処理（図７参照）と同じである。
【０１７１】
また、Ｓ１２１５の処理で走行条件がないと判定された場合には（Ｓ１２１５：ＮＯ）、車両が案内経路から外れてしまった、又は、目的地が変更されたと判定されて、後述の案内経路変更処理が実行され（Ｓ１２９５）、Ｓ１２１５の処理に戻る。
【０１７２】
３．２．２．１．案内経路変更処理
図１６は、案内経路変更処理（図１５に示すＳ１２９５の処理）を示すフローチャートであり、この案内経路変更処理が実行されると、この処理の起動が目的地の変更によるものか、又は、車両が案内経路から外れたことによるものかが判定される（Ｓ１３１０）。
【０１７３】
そして、この処理の起動が目的地の変更によるものであると判定された場合には（Ｓ１３１０：ＹＥＳ）、上述した走行条件計算処理（図２参照）が実行されて、案内経路変更処理が終了する。一方、この処理の起動が案内経路から車両が外れたことによるものであると判定された場合には（Ｓ１３１０：ＮＯ）、新たな案内経路の計算が行われ（Ｓ１３３０）、部分経路Ｌ２の設定が行われる（Ｓ１３４０）。
【０１７４】
そして、部分経路Ｌ２の設定が行われると（Ｓ１３４０）、Ｓ１３４０の処理で設定された部分経路Ｌ２のうち走行条件が計算されていない部分経路Ｌ２がない場合には（Ｓ１３５０：ＮＯ）、案内経路変更処理が終了する。
【０１７５】
逆に、Ｓ１３４０の処理で設定された部分経路Ｌ２のうち、走行条件が計算されていない部分経路Ｌ２があった場合には（Ｓ１３５０：ＹＥＳ）、その部分経路Ｌ２の走行条件が計算され（Ｓ１３６０）、その計算結果がメモリ１８に記憶されて（Ｓ１３７０）、案内経路変更処理が終了する。
【０１７６】
３．２．３．停止処理
図１７は、停止処理（図４に示すＳ２３０の処理）を示すフローチャートであり、この停止処理は、走行処理（図４に示すＳ２２０の処理）が終了したときに実行される処理である。
【０１７７】
そして、図１７に示す停止処理が実行されると、現在位置検出器１２による検出結果に基づいて、車両が部分経路Ｌ２の終点（停止位置）に到達したか否かが判定され（Ｓ１４１０）、車両が部分経路Ｌ２の終点に到達していないと判定された場合には（Ｓ１４１０：ＮＯ）、車両の走行状態が走行条件又は追従条件を満たしているか否かが判定される（Ｓ１４２０）。
【０１７８】
そして、車両の走行状態が走行条件又は追従条件を満たしていると判定された場合には（Ｓ１４２０：ＮＯ）、Ｓ１４１０の処理に戻り、逆に車両の走行状態が走行条件又は追従条件を満たしていないと判定された場合には、その旨が乗員に対して報知されるとともに（Ｓ１４３０）、車両の走行状態が走行条件又は追従条件を満たすように、上述の補正処理が実行されて（Ｓ１４４０）、Ｓ１４１０の処理に戻る。なお、Ｓ１４４０の処理内容は、上述したＳ５７５の処理（図７参照）と同じである。
【０１７９】
ここで、Ｓ１４４０の処理では、制御部３２が走行制御システム６０に対して補正指令を送信することで、走行制御システム６０は、車両の加速度を加速度判定値未満に抑えるようにスロットルバルブの開度を制御し、車両の減速度を減速度判定値未満に抑えるようにスロットルバルブの開度又は制動装置を制御する。
【０１８０】
また、車両が部分経路Ｌ２の終点に到達したと判定された場合には（Ｓ１４１０：ＹＥＳ）、車両が目的地に到達したか否かが判定される（Ｓ１４５０）。そして、目的地に到達していないと判定された場合には（Ｓ１４５０：ＮＯ）、次の部分経路Ｌ２が設定され（Ｓ１４６０）、発進処理（図４に示すＳ２１０の処理）が実行される。
【０１８１】
一方、目的地に到達したと判定された場合には、交差点通過履歴がメモリ１８に記憶されて、停止処理が終了する。
３．本実施形態に係る運転支援システムの特徴
本実施形態では、車両の加速度を加速度判定値未満に抑えることで、車両が加速した際に乗員に対して必要以上の慣性力が加わらないようにしている。このため、車両の加速度が急激に変化するのを防止できるので、乗員に対して必要以上の力が加わってしまうのを防止することができ、同乗者の乗り心地を向上させることができる。
【０１８２】
また、本実施形態では、車両が急発進することを防止することができるので、急発進により乗員に対して必要以上の力が加わってしまうのを防止することができる。
また、操舵角を操舵角判定値未満に制御することで、車両の発進時における急ハンドル操作を防止している。したがって、同乗者の乗り心地を更に向上させることができる。
【０１８３】
ところで、車両が道路を曲がる際に乗員に対して加わる遠心力は、車両の速度が大きくなるほど大きくなる。そこで、本実施形態では、車両の速度に基づいて車両の操舵角判定値を補正している。
【０１８４】
このため、車両の速度が大きくなったとしても必要以上の力（遠心力）が乗員に対して加わらないように車両の操舵角を制御することが可能となるので、同乗者の乗り心地を更に向上させることができる。
【０１８５】
また、本実施形態では、道路の幅や車線の数等の車両が道路を曲がる際の曲率を表す情報に応じて操舵角判定値を補正するようにしているので、最適な条件で車両が道路を曲がる際の運転支援を運転者に対して行うことができる。
【０１８６】
また、本実施形態では、車両の加速度及び操舵角を制御（補正）する際に車両の乗員に対して報知を行うようにしているので、車両の運転者が違和感を感じてしまうことを防止することができる。
【０１８７】
また、本実施形態では、車両の減速度が減速度判定値未満に抑えるように減速度を制御しているので、車両が急激に減速してしまうことを防止することができ、乗員に対して必要以上の力が加わってしまうことを防止することができる。また、本実施形態では、車両が急停止することを防止することができるので、急停止により乗員に対して必要以上の力が加わってしまうのを防止することができる。
【０１８８】
また、本実施形態では、停止している車両の周囲に移動体が存在した場合には、車両の発進を禁止しているので、車両が移動体と衝突してしまうのを未然に防ぐことができ、車両の安全性を向上させることができる。
【０１８９】
４．発明特定事項と実施形態との対応関係
本実施形態では、現在位置検出器１２が特許請求の範囲に記載された加速度検出手段、減速度検出手段及び車速検出手段に相当する。また、Ｓ５５０、Ｓ６５０、Ｓ７５０、Ｓ９８０、Ｓ１０８０、Ｓ１１８０、Ｓ１２４５及びＳ１４４０の処理が特許請求の範囲に記載された加速度制御手段、減速度制御手段及び操舵角制御手段に相当し、操作検出器２０が特許請求の範囲に記載された操舵角検出手段に相当する。
【０１９０】
また、Ｓ５４０、Ｓ６４０、Ｓ７４０、Ｓ９６０、Ｓ１０６０、Ｓ１１６０、Ｓ１２３５及びＳ１４２０の処理が特許請求の範囲に記載された操舵角判定手段に相当し、画像表示器２２及び音声報知器２４が特許請求の範囲に記載された加速度制御報知手段及び減速度制御報知手段に相当し、前方カメラ２６、後方カメラ２８、画像解析器３０及び路上装置５０が特許請求の範囲に記載された移動体検出手段に相当する。
【０１９１】
また、Ｓ５２５、Ｓ５６０、Ｓ６２５、Ｓ６６０、Ｓ７２５、Ｓ７６０、Ｓ９３０、Ｓ１０３０、及びＳ１１３０の処理が特許請求の範囲に記載された衝突判定手段に相当し、Ｓ５３５、Ｓ６３５、Ｓ７３５、Ｓ９５０、Ｓ１０５０及びＳ１１５０の処理が特許請求の範囲に記載された発進禁止手段に相当する。
【０１９２】
（その他の実施形態）
上記実施形態では、車両の加速度が加速度判定値を超えた場合、及び減速度が減速度判定値を超えた場合に、スロットルバルブの開度及び制動装置を制御することで、加速度を加速度判定値未満に抑えつつ減速度を減速度判定値未満に抑えるようにしていたが、これに限らず、走行制御システム６０は、加速度を加速度判定値未満に抑えつつ減速度を減速度判定値未満に抑えるようにスロットルバルブの開度又は制動装置を制御することを、常に実行するようにされていてもよい。
【０１９３】
このようにしても、上記実施形態と同様に、車両が加速又は減速したとしても、乗員に対しては必要以上の慣性力が加わらないので、同乗者の乗り心地を向上させることができる。
【０１９４】
また、上記実施形態では、車両の加速度を加速度判定値未満に抑えるように制御していたが、これに限らず、加速度の変化率を所定値未満に抑えるように制御するようにされているとよい。このようにされていれば、車両の走行時における急激な速度変化を抑えることができるので、同乗者の乗り心地を向上させることができる。
【０１９５】
また、上記実施形態では、加速度の補正をスロットルバルブの開度を制御することで行っていたが、加速度の補正は制動装置を制御することで行うようにしてもよい。また、上記実施形態では、加速度判定値と減速度判定値との絶対値が同じであったが、異なる値をとるようにしてもよい。
【０１９６】
また、減速区間Ｓ２（図３参照）を設定する際には、車両の大きさや重量に基づいて適宜設定するとよい。また、走行条件の計算については、同乗者の人数に基づいて補正するようにされていてもよい。
【０１９７】
また、上記実施形態では、エンジンを駆動源とした車両に対して本発明を適用していたが、これに限らず、電動モータを駆動源にした車両に適用してもよいし、内燃機関と電動モータとを組み合わせて走行する、いわゆるハイブリッド車両に適用してもよい。
【０１９８】
また、上記実施形態の車両（操舵装置）は、ステアリングホイールの操作量に基づいて走行制御システム６０が車両の操舵角を制御するようにしていたが、ステアリングホイールがステアリングシャフトを介してタイヤに機械的に接続されていてもよい。この場合、車両の操舵角が操舵角判定値を超えた際に、例えば電動モータを用いて強制的にステアリンホイールを操作するように構成されているとよい。
【０１９９】
また、上記実施形態の車両（制動装置）は、ブレーキペダルの踏み込み量に基づいて走行制御システム６０がブレーキの制動力を制御するようにしていたが、これに限らず、ブレーキペダルは制動装置に対して機械的に接続されていてもよい。
【０２００】
また、路上装置５０は、車両や歩行者等を検出する以外にも、その検出した車両や歩行者の進む向き及び速さを検出するようにするとよい。
この場合、車両や歩行者の進む向き及び速さの検出結果についても、カーナビゲーション装置１０に送信するようにすれば、例えば図７に示すＳ５２５の処理で車両が発進してもよいか否かを判定する際に、車両や歩行者の進む向き及び速さも考慮して判定することができるので、車両の安全性を向上させることができる。
【０２０１】
ところで、図７に示すＳ５２５、図８に示すＳ６２５、図９に示すＳ７２５、図１２に示すＳ９３０、図１３に示すＳ１０３０及び図１４に示すＳ１１３０等の車両の発進を許可するための条件としては、上述した条件以外にも、渋滞情報や道路事故情報に基づいて車両のすぐ前方の道路に渋滞や事故がないことが検出された場合、交差点に進入しようとしている車両が検出された際にその車両との車間距離が十分に開いていることが検出された場合、現在車両が走行している道路が優先道路であった場合等が挙げられる。
【０２０２】
また、信号が設置された交差点を車両が直進する際には、対向車線の他車両が直進車線を横切って右折する場合があるので、この場合は、この車両と前方の車両との車間距離が所定距離以上開いていた際に、対向車線に存在し、かつ、右折しようとしている他車両に対して注意を促すようにしてもよい。
【０２０３】
また、カーナビゲーション装置１０は、他車両に搭載された車載器と通信が行えるように構成されていてもよい。この場合、カーナビゲーション装置１０は、他車両に対して自車両の発進を知らせる等して他車両に減速するように促すようにすれば、安全性をより向上させることができる。なお、運転者が道路の通行を他車両に優先させる等の指令をカーナビゲーション装置１０を介して他車両に報知するようにされていてもよい。
【０２０４】
また、路上装置５０又は画像解析器３０により車両の周囲に歩行者が検出された場合には、走行制御システム６０が制動装置を作動させて車両に制動力を作用させるようにするとよい。この場合には、危険回避が最優先であるので、車両の減速度が減速度判定値未満に抑えるように制御しなくてもよい。
【０２０５】
また、後続の車両が接近してきたことが画像解析器３０や路上装置５０により検出された場合には、ブレーキランプを点灯させたりクラクション音を発生させたりして、後続車両に対して報知するようにされているとよい。
【０２０６】
また、本発明は、特許請求の範囲に記載された発明の趣旨に合致するものであればよく、上述の実施形態に限定されるものではない。
【図面の簡単な説明】
【０２０７】
【図１】実施形態に係る運転支援システムの構成を説明する説明図である。
【図２】カーナビゲーション装置の制御部で実行される走行条件計算処理を示すフローチャートである。
【図３】交差点内経路、部分経路及び走行条件を説明する説明図である。
【図４】カーナビゲーション装置の制御部で実行される運転支援処理を示すフローチャートである。
【図５】カーナビゲーション装置の制御部で実行される発進処理を示すフローチャートである。
【図６】カーナビゲーション装置の制御部で実行される交差点発進処理を示すフローチャートである。
【図７】カーナビゲーション装置の制御部で実行される交差点直進発進処理を示すフローチャートである。
【図８】カーナビゲーション装置の制御部で実行される交差点左折発進処理を示すフローチャートである。
【図９】交差点左折発進処理が実行された際の作動を説明する説明図である。
【図１０】カーナビゲーション装置の制御部で実行される交差点右折発進処理を示すフローチャートである。
【図１１】カーナビゲーション装置の制御部で実行される停止標識発進処理を示すフローチャートである。
【図１２】カーナビゲーション装置の制御部で実行される停止標識直進発進処理を示すフローチャートである。
【図１３】カーナビゲーション装置の制御部で実行される停止標識左折発進処理を示すフローチャートである。
【図１４】カーナビゲーション装置の制御部で実行される停止標識右折発進処理を示すフローチャートである。
【図１５】カーナビゲーション装置の制御部で実行される走行処理を示すフローチャートである。
【図１６】カーナビゲーション装置の制御部で実行される案内経路変更処理を示すフローチャートである。
【図１７】カーナビゲーション装置の制御部で実行される停止処理を示すフローチャートである。
【符号の説明】
【０２０８】
１０…カーナビゲーション装置、１２…現在位置検出器、１４…道路標識ＤＢ、１６…受信機、１８…メモリ、２０…操作検出器、２２…画像表示器、２４…音声報知器、２６…前方カメラ、２８…後方カメラ、３０…画像解析器、３２…制御部、５０…路上装置、５２…路上カメラ、５４…検出部、５６…発信部、６０…走行制御システム。
【図１】
2008120133.tif 000003
【図２】
2008120133.tif 000004
【図４】
2008120133.tif 000005
【図５】
2008120133.tif 000006
【図６】
2008120133.tif 000007
【図７】
2008120133.tif 000008
【図８】
2008120133.tif 000009
【図１０】
2008120133.tif 000010
【図１１】
2008120133.tif 000011
【図１２】
2008120133.tif 000012
【図１３】
2008120133.tif 000013
【図１４】
2008120133.tif 000014
【図１５】
2008120133.tif 000015
【図１６】
2008120133.tif 000016
【図１７】
2008120133.tif 000017
【図３】
2008120133.tif 000018
【図９】
2008120133.tif 000019